(57)【要約】【課題】表示装置の組み込み信頼度向上を図る。【解決手段】表示パネルと、前記表示パネルを収納するモールドフレームと、前記表示パネルの観察者側の面上に配置されるフロントパネルとを備えた表示装置であって、  前記モールドフレームの平面形状は、４つの角部を有する方形状で形成され、前記４つの角部のうち少なくとも対角線上に配置される２つの角部は、各々の角部を挟む２辺に対して傾斜した斜辺を有する面取り構造になっている。【選択図】図４
2010015093.tif 000002
【特許請求の範囲】
【請求項１】
表示パネルと、
前記表示パネルを収納するモールドフレームと、
前記表示パネルの観察者側の面上に配置されるフロントパネルとを備えた表示装置であって、
前記モールドフレームの平面形状は、４つの角部を有する方形状で形成され、
前記４つの角部のうち少なくとも対角線上に配置される２つの角部は、各々の角部を挟む２辺に対して傾斜した斜辺を有する面取り構造になっていることを特徴とする表示装置。
【請求項２】
前記２つの角部において、各々の角部を挟む２辺の一方を第１の辺、他方を第２の辺とし、前記第１及び第２の辺の各々を仮想的に延長させて前記第１の辺と前記第２の辺とが交わる点をＳ、前記第１の辺と前記斜辺とが交わる点をＰ１、前記第２の辺と前記斜辺とが交わる点をＰ２、前記点Ｐ１から前記点Ｓまでの距離をＡ、前記点Ｐ２から前記点Ｓまでの距離をＢとするとき、Ａ＞０．５ｍｍ、Ｂ＞０．５ｍｍを満足することを特徴とする請求項１に記載の表示装置。
【請求項３】
前記フロントパネルは、前記モールドフレームよりも大きい平面サイズで形成されていることを特徴とする請求項１に記載の表示装置。
【請求項４】
前記４つの角部の全てが各々の角部を挟む２辺に対して傾斜した斜辺を有する面取り構造になっていることを特徴とする請求項１に記載の表示装置。
【請求項５】
前記表示パネルは、その観察者側の面に偏光板を有する液晶表示パネルであり、
前記フロントパネルは、前記偏光板に接着材を介して固定されていることを特徴とする請求項１に記載の表示装置。
【請求項６】
表示パネルと、
前記表示パネルを収納するモールドフレームと、
前記表示パネルの観察者側の面上に配置されるフロントパネルとを備えた表示装置であって、
前記モールドフレームの平面形状は、４つの角部を有する方形状で形成され、
前記４つの角部のうち少なくとも対角線上に配置される２つの角部は、各々の角部を挟む２辺と交わる曲線を有する曲線構造になっていることを特徴とする表示装置。
【請求項７】
前記曲線は、半径１．０ｍｍ以上の円弧であることを特徴とする請求項４に記載の表示装置。
【請求項８】
前記フロントパネルは、前記モールドフレームよりも大きい平面サイズで形成されていることを特徴とする請求項４に記載の表示装置。
【請求項９】
前記４つの角部の全てが、各々の角部を挟む２辺と交わる曲線を有する曲線構造になっていることを特徴とする表示装置。
【請求項１０】
前記表示パネルは、その観察者側の面に偏光板を有する液晶表示パネルであり、
前記フロントパネルは、前記偏光板に接着材を介して固定されていることを特徴とする請求項１に記載の表示装置。
【発明の詳細な説明】
【技術分野】
【０００１】
本発明は、表示装置に係り、特に、表示パネルと、前記表示パネルを収納するモールドフレームと、前記表示パネルの観察者側の面上に配置されるフロントパネルとを備えた表示装置に関する。
【背景技術】
【０００２】
表示装置の一つに例えば液晶表示モジュール（液晶表示装置）がある。液晶表示モジュールにおいては、サブピクセル数が、カラー表示で２４０×３２０×３程度の小型の液晶表示パネルを有するＴＦＴ（Thin Film Transistor）方式の液晶表示モジュールが知られており、携帯電話機などの携帯機器の表示部として広く使用されている。
この液晶表示モジュールは、液晶表示パネルと、この液晶表示パネルを収納し支持するモールドフレームとを備え、液晶表示パネルは、モールドフレームに設けられた凹部に収納されている。
一方、液晶表示モジュールにおいては、液晶表示パネルの観察者側の偏光板に、この偏光板と同等の屈折率の接着材を介してフロントパネルが固定された構造（以下、ハイブリットパネル構造と言う）のものが知られている。このハイブリットパネル構造は、液晶表示パネルの観察者側の偏光板上に空隙層を介してフロントパネルが配置された構造と比較して、（１）ダストフリー化（異物の混入が少ない）、（２）薄型化、（３）屋外視認性が良い、（４）輝度率が高い、などの特徴を有する。
【発明の開示】
【発明が解決しようとする課題】
【０００３】
本発明者は、市場要求に伴い、フロントパネルの４辺が液晶モジュールを支持するモールドフレームの４辺よりも外側に位置し、フロントパネルのモールドフレームよりも外側へ張り出した部分の下面を携帯機器（例えば携帯電話機）の筐体にテープ等で固定するハイブリットパネル構造の液晶表示モジュールを検討している。本発明者は、このようなハイブリットパネル構造の液晶表示モジュールについて検討した結果、以下の問題点を見出した。
図１２乃至図１４は、本発明に先立って検討したハイブリットパネル構造の液晶表示モジュールに係る図であって、
図１２は、ハイブリットパネル構造の液晶表示モジュールをその観察者側とは反対側から見た図（底面図）、
図１３は、ハイブリットパネル構造の液晶表示モジュールを携帯機器の表示部に組み込んだ状態をその観察者側とは反対側から見た図、
図１４は、図１３に対して、ハイブリットパネル構造の液晶表示モジュールのモールドフレームとフロントパネルとが回転方向に位置ずれを起こした場合を示す図（底面図）である。
図１２乃至図１４において、５はフレキシブル配線基板（ＦＰＣ）、６はモールドフレーム、７はフロントパネル、８は反射シート、２０は筐体、２１は開口部、２３ａ，２３ｂ，２３ｃ，２３ｄはクリアランスである。
【０００４】
本発明に先立って検討したハイブリットパネル構造の液晶表示モジュールは、図１２に示すように、フロントパネル７の４辺が液晶表示パネルを収納し支持するモールドフレーム６の４辺よりも外側に位置し、フロントパネル７のモールドフレーム６よりも外側へ張り出した部分の下面を携帯機器（例えば携帯電話機）の筐体にテープ等で固定する仕様になっている。
このような仕様の液晶表示モジュールにおいては、携帯機器の表示部に組み込む際、図１３に示すように、モールドフレーム６が携帯機器の筐体２０の開口部２１内に配置されるため、筐体２０の開口部２１の側壁と液晶表示モジュールのモールドフレーム６との間のクリアランス（２３ａ，２３ｂ，２３ｃ，２３ｄ）を確保する必要がある。
一方、フロントパネル７は液晶表示パネルの観察者側に固定され、液晶表示パネルはモールドフレーム７に収納され支持されるため、液晶表示モジュールの製造において、液晶表示パネルの観察者側にフロントパネル７を高精度で貼り付けないと、液晶表示パネルの観察者側に固定されたフロントパネル７と、液晶表示パネルを収納し支持するモールドフレーム６との位置にずれが生じる。この位置ずれは、Ｘ方向、Ｙ方向への平行移動による位置ずれと、回転方向にずれる回転ずれとがある。
【０００５】
筐体２０の開口部２１の側壁と液晶表示モジュールのモールドフレーム６との間のクリアランス（２３ａ，２３ｂ，２３ｃ，２３ｄ）は、筐体２０の開口部２１内に液晶表示モジュールのモールドフレーム６を効率よく収納させるために必要であるが、携帯機器の筐体２０はコンパクト化を狙っているため、携帯機器の筐体２０と液晶表示モジュールのモールドフレーム６との間のクリアランス（２３ａ，２３ｂ，２３ｃ，２３ｄ）は広く確保できない。
そこで、筐体２０のコンパクト化を考慮した場合、筐体２０の開口部２１の側壁と液晶表示モジュールのモールドフレーム６との間のクリアランス（２３ａ，２３ｂ，２３ｃ，２３ｄ）としては、フロントパネルとモールドフレームとの位置ずれのうち、Ｘ方向、Ｙ方向への平行移動による位置ずれに対して、ぎりぎりクリアできるクリアランス量を確保することが望ましい。
しかしながら、Ｘ方向、Ｙ方向への平行移動による位置ずれに、更に回転方向の位置ずれ分が加わると、図１４に示すように、モールドフレーム６の角部が筐体２０と接触又は干渉し、組み込みができなくなったり、組み込んだ後に衝撃が加わることで液晶表示パネルが損傷するなどの不具合を生じさせる可能性が想定される。
このような不具合は、筐体２０の開口部２１の側壁と液晶表示モジュールのモールドフレーム６との間のクリアランス（２３ａ，２３ｂ，２３ｃ，２３ｄ）を広くすれば解消できるが、このクリアランスを広くした場合は筐体２０のコンパクト化を阻害してしまう。
本発明の目的は、表示装置の組み込み信頼度向上を図ることが可能な技術を提供することにある。
本発明の前記並びにその他の目的と新規な特徴は、本明細書の記述及び添付図面によって明らかになるであろう。
【課題を解決するための手段】
【０００６】
本願において開示される発明のうち、代表的なものの概要を簡単に説明すれば、下記のとおりである。
（１）表示パネルと、前記表示パネルを収納するモールドフレームと、前記表示パネルの観察者側の面上に配置されるフロントパネルとを備えた表示装置であって、
前記モールドフレームの平面形状は、４つの角部を有する方形状で形成され、前記４つの角部のうち少なくとも対角線上に配置される２つの角部は、各々の角部を挟む２辺に対して傾斜した斜辺を有する面取り構造になっている。
（２）上記（１）において、前記２つの角部の各々の角部を挟む２辺の一方を第１の辺、他方を第２の辺とし、前記第１及び第２の辺の各々を仮想的に延長させて前記第１の辺と前記第２の辺とが交わる点をＳ、前記第１の辺と前記斜辺とが交わる点をＰ１、前記第２の辺と前記斜辺とが交わる点をＰ２、前記点Ｐ１から前記点Ｓまでの距離をＡ、前記点Ｐ２から前記点Ｓまでの距離をＢとするとき、Ａ＞０．５ｍｍ、Ｂ＞０．５ｍｍを満足する。
（３）上記（１）において、前記フロントパネルは、前記モールドフレームよりも大きい平面サイズで形成されている。
（４）上記（１）において、前記４つの角部の全てが各々の角部を挟む２辺に対して傾斜した斜辺を有する面取り構造になっている。
（５）上記（１）において、前記表示パネルは、その観察者側の面に偏光板を有する液晶表示パネルであり、前記フロントパネルは、前記偏光板に接着材を介して固定されている。
【０００７】
（６）表示パネルと、前記表示パネルを収納するモールドフレームと、前記表示パネルの観察者側の面上に配置されるフロントパネルとを備えた表示装置であって、
前記モールドフレームの平面形状は、４つの角部を有する方形状で形成され、前記４つの角部のうち少なくとも対角線上に配置される２つの角部は、各々の角部を挟む２辺と交わる曲線を有する曲線構造になっている。
（７）上記（６）において、前記曲線は、半径１．０ｍｍ以上の円弧である。
（８）上記（６）において、前記フロントパネルは、前記モールドフレームよりも大きい平面サイズで形成されている。
（９）上記（６）において、前記４つの角部の全てが、各々の角部を挟む２辺と交わる曲線を有する曲線構造になっている。
（１０）上記（６）において、前記表示パネルは、その観察者側の面に偏光板を有する液晶表示パネルであり、前記フロントパネルは、前記偏光板に接着材を介して固定されている。
【発明の効果】
【０００８】
本願において開示される発明のうち代表的なものによって得られる効果を簡単に説明すれば、下記のとおりである。
本発明によれば、表示装置の組み込み信頼度向上を図ることが可能となる。
【発明を実施するための最良の形態】
【０００９】
以下、図面を参照して本発明の実施例を詳細に説明する。なお、発明の実施例を説明するための全図において、同一機能を有するものは同一符号を付け、その繰り返しの説明は省略する。
［実施例１］
本実施例１では、表示装置の一例として液晶表示モジュール（液晶表示装置）に本発明を適用した例について説明する。
図１乃至図１０は、本発明の実施例１の液晶表示モジュールに係る図であり、
図１は、液晶表示モジュールを観察者側から見た状態を示す平面図、
図２は、図１の矢印Ａの方向から見た側面図、
図３は、図１の矢印Ｂの方向から見た側面図、
図４は、図１の一部を拡大した平面図、
図５は、携帯機器の表示部を示す平面図、
図６は、図５の矢印Ｃの方向から見たときの携帯機器の筐体と液晶表示モジュールのモールドフレームとの位置関係を示す図、
図７は、図５の矢印Ｄの方向から見たときの携帯機器の筐体と液晶表示モジュールのモールドフレームとの位置関係を示す図、
図８は、液晶表示モジュールをその観察者側とは反対側からみた図（底面図）、
図９は、液晶表示モジュールを携帯機器の表示部に組み込んだ状態をその観察者側とは反対側から見た図（底面図）である。
図１０は、図９に対して、液晶表示モジュールのモールドフレームとフロントパネルとが回転方向に位置ずれを起こした場合を示す図（底面図）である。
なお、図１は、フロントパネル上からその下側の構成を透視して示す図である。
【００１０】
本実施例１の液晶表示モジュール１０は、画素数が、カラー表示で２４０×３２０×３程度の小型の液晶表示パネルを有するＴＦＴ（Thin Film Transistor）方式の液晶表示モジュールであり、携帯電話機などの携帯機器の表示部として使用される。
本実施例１の液晶表示モジュール１０は、図１乃至図３に示すように、液晶表示パネルＤＳＰと、液晶表示パネルＤＳＰの観察者側の面上に配置された面状のフロントパネル７と、液晶表示パネルＤＳＰの観察者側とは反対側において液晶表示パネルＤＳＰを収納し支持する枠状のモールドフレーム６とを備えている。
液晶表示パネルＤＳＰは、第１の基板１と、第２の基板２と、第１の基板１と第２の基板２との間に挟持される液晶層（図示せず）と、駆動回路が搭載された半導体チップ４と、第１の基板１の少なくとも一辺に接続されるフレキシブル配線基板５と、第２の基板２の液晶層とは反対側の面に貼り付けられた偏光板３とを有している。第２の基板２の液晶層とは反対側が観察者側となっている。なお、図示は省略するが、第１の基板１の液晶層とは反対側の面にも偏光板を有する。
【００１１】
液晶表示パネルＤＳＰは、複数の画素がマトリクス状に配置された表示領域を有している。複数の画素の各々は、画素電極及び対向電極を有している。
第１及び第２の基板（１，２）としては、例えばガラス等の透明な絶縁性基板が用いられている。液晶層としては、ポジ型液晶、或いはネガ型液晶が用いられている。
第１及び第２の基板（１，２）の各々は、４つの角部を有する方形状の平面形状で形成されており、本実施例では例えば長辺及び短辺を有する長方形の平面形状で形成されている。第１及び第２の基板（１，２）のうち、第１の基板１の長辺は第２の基板２の長辺よりも長く、第１の基板１は第２の基板２と重畳しない領域（以下、非重畳領域と言う）を有する構成になっている。半導体チップ４は、第１の基板１の液晶層側の面の非重畳領域に実装されている。
第１の基板１には、薄膜トランジスタ、画素電極等が形成されており、第２の基板２には、カラーフィルタ等が形成されている。ここで、本実施例の液晶表示パネルＤＳＰは、ＩＰＳ方式の液晶表示パネルであるので、対向電極は第１の基板１側に設けられるが、ＴＮ方式やＶＡ方式の液晶表示パネルの場合、対向電極は第２の基板２側に設けられる。なお、符号８は反射シートである。
【００１２】
モールドフレーム６は、外周縁における平面形状が４つの角部６ｓを有する方形状で形成されており、本実施例１では長辺６ｂ及び短辺６ａを有する長方形で形成されている。モールドフレーム６の平面形状は液晶表示パネルＤＳＰの平面形状と相似形で形成されており、モールドフレーム６の外周縁における輪郭線（各辺）が液晶表示パネルの外周縁における輪郭線（各辺）よりも外側に位置する大きさ、即ちモールドフレーム６の方が液晶表示パネルＤＳＰよりも大きい平面サイズになっている。モールドフレーム６としては、例えば白色の樹脂製モールドフレームが用いられている。
フロントパネル７は、液晶表示パネルＤＳＰの第２の基板２側の偏光板３に、この偏光板３と同等の屈折率の接着材９を介して接着固定されている。フロントパネル７は、平面形状が４つの角部を有する方形状で形成されており、本実施例１では長辺７ｂ及び短辺７ａを有する長方形で形成されている。フロントパネル７の平面形状はモールドフレーム６平面形状と相似形で形成されており、フロントパネル７の外周縁における輪郭線（各辺）がモールドフレーム６の外周縁における輪郭線（各辺）よりも外側に位置する大きさ、即ちフロントパネル７の方がモールドフレーム６よりも大きい平面サイズになっている。フロントパネル７は、例えばガラス、樹脂等の透明な絶縁性材料で形成されている。
【００１３】
モールドフレーム６の４つの角部６ｓのうち少なくとも対角線上に配置される２つの角部６ｓは、図４に示すように、各々の角部６ｓを挟む２辺（短辺６ａ，長辺６ｂ）に対して傾斜した斜辺６ｃを有する面取り構造になっている。本実施例では、４つの角部６ｓの全てが斜辺６ｓを有する面取り構造になっている。
また、斜辺６ｃを有する面取り構造の角部６ｓにおいて、各々の角部６ｓを挟む２辺（短辺６ａ，長辺６ｂ）の一方を第１の辺（例えば短辺６ａ）、他方を第２の辺（例えば長辺６ｂ）とし、前記第１及び第２の辺の各々を仮想的に延長させて前記第１の辺と前記第２の辺とが交わる点をＳ、前記第１の辺と前記斜辺６ｃとが交わる点をＰ１、前記第２の辺と前記斜辺とが交わる点をＰ２、前記点Ｐ１から前記点Ｓまでの距離をＡ、前記点Ｐ２から前記点Ｓまでの距離をＢとするとき、Ａ＞０．５ｍｍ、Ｂ＞０．５ｍｍの関係を満足している。
【００１４】
本実施例１の液晶表示モジュール１０は、前述したように、液晶表示パネルＤＳＰの観察者側の偏光板３に、この偏光板３と同等の屈折率の接着材９を介してフロントパネル７が固定された構造、即ちハイブリットパネル構造になっている。そして、フロントパネル７の４辺（短辺７ａ，長辺７ｂ）が液晶表示モジュールＤＳＰを収納し支持するモールドフレーム６の４辺（短辺６ａ，長辺６ｂ）よりも外側に位置し、フロントパネル７のモールドフレーム６よりも外側へ張り出した部分の下面を携帯機器（例えば携帯電話機）の筐体にテープ等で固定する仕様になっている。
このように構成された液晶表示モジュール１０は、図５乃至図７に示すように、携帯機器の表示部として組み込まれる。
携帯機器は、表示部において筐体２０と液晶表示モジュール１０とを備えている。筐体２０は、液晶表示モジュール１０の液晶表示パネルＤＳＰ及びモールドフレーム６を内部に収納し、かつフロントパネル７の周縁よりも内側に開口端が位置する開口部２１を有している。フロントパネル７は、その周縁部（モールドフレーム６よりも外側へ張り出した部分）の下面（液晶表示パネルＤＳＰ側の面）が開口部の外側において筐体２０の固定部に例えばテープ等の接着材２２で固定され、液晶表示パネルＤＳＰ及びモールドフレーム６は開口部２１を通して筐体２０の中に配置される。
【００１５】
このように、本実施例１の液晶表示モジュール１０は、図６、図７に示すように、フロントパネル７の４つの辺（短辺７ａ，長辺７ｂ）が液晶表示パネルＤＳＰを収納し支持するモールドフレーム６の４つの辺（短辺６ａ，長辺６ｂ）よりも外側に位置し、フロントパネル７のモールドフレーム６よりも外側へ張り出した部分の下面を携帯機器の筐体２０にテープ等の接着材２２で固定する仕様になっている。
前述したように、筐体２０のコンパクト化を考慮した場合、筐体２０の開口部２１の側壁と液晶表示モジュール１０のモールドフレーム６との間のクリアランス（２３ａ，２３ｂ，２３ｃ，２３ｄ）としては、フロントパネル７とモールドフレーム６との位置ずれのうち、Ｘ方向、Ｙ方向への平行移動による位置ずれに対して、ぎりぎりクリアできるクリアランス量を確保することが望ましい。
しかしながら、Ｘ方向、Ｙ方向への平行移動による位置ずれに、更に回転方向の位置ずれ分が加わると、図１４に示すように、モールドフレーム６の角部が筐体２０と接触又は干渉し、組み込みができなくなったり、組み込んだ後に衝撃が加わることで液晶表示パネルが損傷するなどの不具合を生じさせる可能性が想定される。
このような不具合は、筐体２０の開口部２１の側壁と液晶表示モジュール１０のモールドフレーム６との間のクリアランス（２３ａ，２３ｂ，２３ｃ，２３ｄ）を広くすれば解消できるが、このクリアランスを広くした場合は筐体２０のコンパクト化を阻害してしまう。
【００１６】
そこで、本実施例１では、モールドフレーム６の４つの角部６ｓは、図４に示すように、各々の角部６ｓを挟む２辺（短辺６ａ，長辺６ｂ）に対して傾斜した斜辺６ｃを有する面取り構造になっている。
このような構成とすることにより、フロントパネル７とモールドフレーム６との位置ずれのうち、回転方向の位置ずれによってモールドフレーム６の角部６ｓが筐体２０の開口部２１の側壁に接触する不具合を抑制、即ち、回転方向の位置ずれに対する、モールドフレーム６の角部６ｓと筐体２０の開口部２１の側壁との接触防止マージンを確保することができる。これにより、液晶表示モジュール１０の組み込み信頼度向上を図ることができる。また、筐体のスリム化を図りつつ液晶表示モジュール１０の組み込み信頼度向上を図ることができる。
なお、フロントパネル７とモールドフレーム６との回転方向の位置ずれは、フロントパネル７の対角線に対してモールドフレーム６の対角線が＋θの角度で傾く第１の回転ずれと、フロントパネル７の対角線に対してモールドフレーム６の対角線が−θの角度で傾く第２の回転ずれがある。
【００１７】
従って、モールドフレーム６の４つの角部６ｓのうち、少なくとも対角線上に配置される２つの角部６ｓを、各々の角部６ｓを挟む２辺（短辺６ａ，長辺６ｂ）に対して傾斜した斜辺６ｃを有する面取り構造とすることで、第１及び第２の回転ずれのうちの何れか一方の回転ずれに対する、モールドフレーム６の角部６ｓと筐体２０の開口部２１の側壁との接触防止マージンを確保することができる。
本実施例１では、モールドフレーム６の４つの角部６ｓの全てが、各々の角部６ｓを挟む２辺（短辺６ａ，長辺６ｂ）に対して傾斜した斜辺６ｃを有する面取り構造となっているため、第１及び第２の回転ずれの両方に対する、モールドフレーム６の角部６ｓと筐体２０の開口部２１の側壁との接触防止マージンを確保することができる。
筐体２０の開口部２１の側壁と液晶表示モジュール１０のモールドフレーム６との間のクリアランス（２３ａ，２３ｂ，２３ｃ，２３ｄ）において、クリアランス２３ａ及び２３ｂは約０．３５ｍｍ程度であり、クリアランス２３ｃ及び２３ｄは約１ｍｍ程度である。回転ずれに起因する、モールドフレーム６と筐体２０の開口部２１の側壁との接触は、筐体２０の開口部２１の側壁と液晶表示モジュール１０のモールドフレーム６との間のクリアランス（２３ａ，２３ｂ，２３ｃ，２３ｄ）が狭ければ狭いほど起こりやすくなる。従って、これらのクリアランスを考慮してモールドフレーム６の角部６ｓの面取り量（図４中のＡ及びＢ）を設定する必要があり、Ａ＞０．５ｍｍ、Ｂ＞０．５ｍｍの関係を満足することが望ましい。
【００１８】
［実施例２］
図１１は、本発明の実施例２の液晶表示モジュールの一部を示す平面図である。
本実施例２の液晶表示モジュール１１は、基本的に前述の実施例１と同様の構成になっており、以下の構成が異なっている。
即ち、本実施例２のモールドフレーム６の４つの角部６ｓのうち少なくとも対角線上に配置される２つの角部６ｓは、各々の角部６ｓを挟む２辺（短辺６ａ，長辺６ｂ）と交わる曲線６ｄを有する曲線構造になっている。本実施例では、４つの角部６ｓの全てが曲線６ｄを有する曲線構造になっている。
また、曲線６ｄは、半径Ｒが１．０ｍｍ以上の円弧で構成されている。
このような構成の本実施例２においても、前述の実施例１と同様の効果が得られる。
本実施例２においても、筐体２０の開口部２１の側壁と液晶表示モジュール１０のモールドフレーム６との間のクリアランス（２３ａ，２３ｂ，２３ｃ，２３ｄ）を考慮してモールドフレーム６の角部６ｓの面取り量を設定する必要があり、曲線６ｄを半径Ｒが０．５ｍｍ以上の円弧とすることが望ましい。
なお、前述の実施例では、表示パネルの一例として液晶表示パネルを備えた液晶表示モジュールについて説明したが、本発明は、これに限定されるものではなく、有機ＥＬ表示パネルや無機ＥＬ表示パネル等の他の表示パネルを備えた表示モジュールに適用することができる。
以上、本発明者によってなされた発明を、前記実施例に基づき具体的に説明したが、本発明は、前記実施例に限定されるものではなく、その要旨を逸脱しない範囲において種々変更可能であることは勿論である。
【図面の簡単な説明】
【００１９】
【図１】本発明の実施例１の液晶表示モジュールを観察者側から見た状態を示す平面図である。
【図２】図１の矢印Ａの方向から見た側面図である。
【図３】図１の矢印Ｂの方向から見た側面図である。
【図４】図１の一部を拡大した平面図である。
【図５】携帯機器の表示部を示す平面図である。
【図６】図５の矢印Ｃの方向から見たときの携帯機器の筐体と液晶表示モジュールのモールドフレームとの位置関係を示す図である。
【図７】図５の矢印Ｄの方向から見たときの携帯機器の筐体と液晶表示モジュールのモールドフレームとの位置関係を示す図である。
【図８】本発明の実施例１である液晶表示モジュールをその観察者側とは反対側からみた図（底面図）である。
【図９】本発明の実施例１である液晶表示モジュールを携帯機器の表示部に組み込んだ状態をその観察者側とは反対側から見た図（底面図）である。
【図１０】図９に対して、液晶表示モジュールのモールドフレームとフロントパネルとが回転方向に位置ずれを起こした場合を示す図（底面図）である。
【図１１】本発明の実施例２である液晶表示モジュールの一部を示す平面図である。
【図１２】本発明に先立って検討したハイブリットパネル構造の液晶表示モジュールをその観察者側とは反対側から見た図（底面図）である。
【図１３】図１２のハイブリットパネル構造の液晶表示モジュールを携帯機器の表示部に組み込んだ状態をその観察者側とは反対側から見た図、
【図１４】図１３に対して、ハイブリットパネル構造の液晶表示モジュールのモールドフレームとフロントパネルとが回転方向に位置ずれを起こした場合を示す図（底面図）である。
【符号の説明】
【００２０】
１  第１の基板
２  第２の基板
３  偏光板
４  半導体チップ
５  フレキシブル配線基板（ＦＰＣ）
６  モールドフレーム
７  フロントパネル
８  反射シート
９  接着材
１０，１１  液晶表示モジュール
２０  筐体
２１  開口部
２２  接着材
２３ａ，２３ｂ，２３ｃ，２３ｄ  クリアランス
ＤＳＰ  液晶表示パネル
【図１】
2010015093.tif 000003
【図２】
2010015093.tif 000004
【図３】
2010015093.tif 000005
【図４】
2010015093.tif 000006
【図５】
2010015093.tif 000007
【図６】
2010015093.tif 000008
【図７】
2010015093.tif 000009
【図８】
2010015093.tif 000010
【図９】
2010015093.tif 000011
【図１０】
2010015093.tif 000012
【図１１】
2010015093.tif 000013
【図１２】
2010015093.tif 000014
【図１３】
2010015093.tif 000015
【図１４】
2010015093.tif 000016